(57)【特許請求の範囲】
【請求項１】
バッテリー端子若しくはバッテリー端子に取り付けられる可溶体を有するバスバと、該バスバに接続される圧接型のヒューズ端子とを含むヒューズユニットにおいて、
該可溶体を形成した該バスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドしたことを特徴とするバッテリー端子に取り付けられるヒューズユニット。
【請求項２】
本体回路部に音叉状の音叉端子が設けられたバスバを固定型と可動型とによる樹脂成形品の成形と共に一体に埋設する型構造であって、
前記固定型は、前記可動型との間に樹脂が射出されて樹脂成形品が成形される型本体部と、前記音叉端子の端子基部を支持する端子基部受け部と、前記可動型が当接する受け当接段部とを有し、
前記可動型は、前記本体回路部を前記固定型と共に樹脂中に埋設する型本体部と、前記音叉端子の端子基部を前記端子基部受け部と共に挟持する端子基部当接部と、前記固定型の受け当接段部と当接する当接段部とを有し、
前記音叉端子は、前記固定型と前記可動型との合わせ状態で前記端子基部受け部と端子基部当接部との間で端子基部が挟持された状態で、前記固定型及び前記可動型の型本体部の外方に突出して配置されるものであり、
可溶体を形成したバスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドしたことを特徴とする型構造。
【請求項３】
請求項２記載の型構造であって、
前記音叉端子はバスバ端と、このバスバ端から一体に延設された圧入接触部とで形成され、
前記圧入接触部は、対向する一対の挟持片と、これらの挟持片間に設けられ先端側に相手端子の挿入開口が形成されたスリットとで形成され、
固定型と可動型との合わせ状態で前記一対の挟持片が固定型及び可動型の型本体部の外方に突出して配置されることを特徴とする型構造。
【請求項４】
本体回路部に音叉状の音叉端子が設けられたバスバを固定型と可動型とによる樹脂成形品の成形と共に一体に埋設する型構造を用いた成形方法であって、
前記バスバを固定型の型本体部内にセットするときに、固定型及び可動型の型本体部の外方に音叉端子が突出して配置されるように固定型の端子基部受け部に前記音叉端子の端子基部を支持させる段階と、
前記可動型を固定型に合わせるときに、前記固定型の受け当接段部に可動型の当接段部を当接させると共に前記音叉端子の端子基部を前記端子基部受け部と可動型の端子基部当接部とによって挟持する段階と、
前記挟持状態で固定型及び可動型の型本体部内に樹脂を射出する段階とを備えているものであり、
可溶体を形成したバスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドしたことを特徴とする型構造を用いた成形方法。
【発明の詳細な説明】
【技術分野】
【０００１】
本発明は、バスバをインサート成形することにより、例えばヒュージブルリンクユニット等の電気部品を製造するのに用いる型構造及びこの型構造を用いた成形方法、並びに、ヒューズユニットに関する。
【背景技術】
【０００２】
たとえば、特許文献１に記載されるように、ヒュージブルリンクユニットは車載のバッテリと車載の負荷に電源を供給する電線とを接続するものであり、車体振動の影響を受ける部位に搭載される。車体振動の影響を受ける部位では、共振によるユニット本体及びバスバの破損を考慮し、本体回路部が形成されているバスバを成形型内にインサートした状態で樹脂を射出することにより製造されている。このようにバスバをインサート成形することによりバスバと樹脂成形品とが一体になるため、振動による共振を抑制することが可能となる。
【０００３】
一方、バスバには、音叉形状に成形された音叉端子が設けられることがある。音叉端子は外部ヒューズ等の外部端子が接触状態で挿入されることにより外部端子との電気的な接続を行うように作用するものであり、樹脂成形品の外方に露出した状態であることが不可欠となっている。
【０００４】
図１２及び図１３は、バスバに設けられた音叉端子２００部分を成形するための従来の型構造を示す。これらの図において、符号１１０は固定型、符号１２０は可動型であり、これらの型内１１０，１２０の間にバスバがセットされた状態で、型１１０，１２０が型合わせ（型締め）されてキャビティが形成され、このキャビティ内に樹脂が射出される。
【０００５】
音叉端子２００を樹脂成形品の外方に露出させるため、可動型１２０の型合わせ面（パーティング面）１３０側に音叉端子２００を収容する収容空間１４０が形成されている。そして音叉端子２００が収容空間１４０との対応位置となるようにバスバを固定型１１０にセットし、このセット後に型合わせを行う。型合わせによって音叉端子２００が収容空間１４０に収容されるため、キャビティから独立し、キャビティ内に射出される樹脂によって埋設されることがない。このため、音叉端子２００を樹脂成形品から露出させた状態とすることができる。
【先行技術文献】
【特許文献】
【０００６】
【特許文献１】特開２０００−３３１５９１号公報
【発明の概要】
【発明が解決しようとする課題】
【０００７】
しかしながら、従来の型構造では、型合わせの際に音叉端子２００が型（可動型１２０）の内面と接触することがある。又、型合わせによって音叉端子２００には、図１３の矢印Ｒで示す押し力が作用することがある。これらにより音叉端子２００が変形し、不良品の原因となる問題がある。
【０００８】
そこで、本発明は、バスバをインサート成形する際に音叉端子が変形することのない型構造及びこの型構造を用いた成形方法を提供することを目的とする。
【０００９】
また、本発明は、スライド型を使わず成型ができると共にヒューズホルダを設ける必要がないヒューズユニットを提供することを目的とする。
【課題を解決するための手段】
【００１０】
上記目的を達成するため、請求項１記載の発明は、バッテリー端子若しくはバッテリー端子に取り付けられる可溶体を有するバスバと、該バスバに接続される圧接型のヒューズ端子とを含むヒューズユニットにおいて、該可溶体を形成した該バスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドし、バッテリー端子に取り付けられることを特徴とする。
【００１１】
請求項２記載の発明は、本体回路部に音叉状の音叉端子が設けられたバスバを固定型と可動型とによる樹脂成形品の成形と共に一体に埋設する型構造であって、前記固定型は、前記可動型との間に樹脂が射出されて樹脂成形品が成形される型本体部と、前記音叉端子の端子基部を支持する端子基部受け部と、前記可動型が当接する受け当接段部とを有し、前記可動型は、前記本体回路部を前記固定型と共に樹脂中に埋設する型本体部と、前記音叉端子の端子基部を前記端子基部受け部と共に挟持する端子基部当接部と、前記固定型の受け当接段部と当接する当接段部とを有し、前記音叉端子は、前記固定型と前記可動型との合わせ状態で前記端子基部受け部と端子基部当接部との間で端子基部が挟持された状態で、前記固定型及び前記可動型の型本体部の外方に突出して配置されるものであり、可溶体を形成したバスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドしたことを特徴とする。
【００１２】
請求項３記載の発明は、請求項２記載の型構造であって、前記音叉端子はバスバ端と、このバスバ端から一体に延設された圧入接触部とで形成され、前記圧入接触部は、対向する一対の挟持片と、これらの挟持片間に設けられ先端側に相手端子の挿入開口が形成されたスリットとで形成され、固定型と可動型との合わせ状態で前記一対の挟持片が固定型及び可動型の型本体部の外方に突出して配置されることを特徴とする。
【００１３】
請求項４記載の発明は、本体回路部に音叉状の音叉端子が設けられたバスバを固定型と可動型とによる樹脂成形品の成形と共に一体に埋設する型構造を用いた成形方法であって、前記バスバを固定型の型本体部内にセットするときに、固定型及び可動型の型本体部の外方に音叉端子が突出して配置されるように固定型の端子基部受け部に前記音叉端子の端子基部を支持させる段階と、前記可動型を固定型に合わせるときに、前記固定型の受け当接段部に可動型の当接段部を当接させると共に前記音叉端子の端子基部を前記端子基部受け部と可動型の端子基部当接部とによって挟持する段階と、前記挟持状態で固定型及び可動型の型本体部内に樹脂を射出する段階とを備えているものであり、可溶体を形成したバスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドしたことを特徴とする。
【発明の効果】
【００１４】
請求項１記載の発明では、スライド型を使わず成型ができると共に、音叉端子でヒューズ端子を挟んで保持するので、ヒューズを保持するためのヒューズホルダを別途設ける必要がなくなる。
【００１５】
請求項２記載の発明では、固定型と可動型とを型合わせする際に固定型の受け当接段部と可動側の当接段部とが当接すると共に、固定型に形成した端子基部受け部と可動型に形成した端子基部当接部とによって音叉端子の端子基部が挟持される。これにより、固定型及び可動型に対する音叉端子の位置決め固定がなされる。かかる音叉端子の挟持状態では、音叉端子が固定型及び可動型の型本体部の外方に突出して配置された状態となるため、樹脂を型本体部に射出しても音叉端子が樹脂成形品から露出した状態となることができる。
【００１６】
このような請求項２の発明では、型合わせ状態で音叉端子が固定型と可動型の型本体部の外方に突出しているため、音叉端子は固定型及び可動型に対してフリー状態となっており、これらの型との接触がないばかりでなく型の押し力が作用することがない。このため、音叉端子が変形することがなく、変形に起因した不良品の発生を防止することができる。
【００１７】
請求項３記載の発明によれば、請求項２記載の発明の効果に加えて、音叉端子における挟持片が固定型及び可動型の型本体部の外方に突出するため、音叉端子の全体が樹脂成形品から露出することがなく、一部（バスバ端）が樹脂成形品に埋設された状態となる。このため、樹脂成形品の音叉端子に対する支持力が大きくなり、音叉端子に強度を付与することができる。
【００１８】
請求項４記載の発明によれば、固定型の端子基部受け部に音叉端子の端子基部を支持させる際に、固定型及び可動型の型本体部の外方に音叉端子が突出して配置されるようにセットし、その後の型合わせの際に音叉端子の端子基部を固定型の端子基部受け部と可動型の端子基部当接部によって挟持する。このことにより、音叉端子は固定型及び可動型の外方にあってフリー状態となる。このため、型との接触がないばかりでなく型の押し力が作用することがなく、音叉端子が変形することがなく、変形に起因した不良品の発生を防止したインサート成形を行うことができる。
【図面の簡単な説明】
【００１９】
【図１】本発明の一実施形態の型構造に適用されるバスバの斜視図である。
【図２】図１のバスバを示し、（ａ）は平面図、（ｂ）は右側面図、（ｃ）は正面図である。
【図３】本発明の一実施形態の型構造における要部を示す斜視図である。
【図４】型構造の要部を示す断面図である。
【図５】バスバの音叉端子を示す斜視図である。
【図６】成形時における音叉端子の支持状態を示す斜視図である。
【図７】成形時における音叉端子の支持状態を図６の裏側から示す斜視図である。
【図８】成形された電気部品を示す斜視図である。
【図９】成形された電気部品を示し、（ａ）は平面図、（ｂ）は右側面図、（ｃ）は正面図である
【図１０】成形された電気部品に対しヒューズを取り付けた状態の斜視図である。
【図１１】電気部品のヒューズ部分に蓋体を取り付けた状態の斜視図である。
【図１２】従来の型構造による成形を示す側面からの断面図である。
【図１３】従来の型構造による成形を示す平面からの断面図である。
【発明を実施するための形態】
【００２０】
以下、本発明を図示する実施形態により具体的に説明する。図１〜図１１は本発明の一実施形態であり、図１及び図２はバスバを示す。図３は、型構造の要部の斜視図、図４は、型構造の要部の断面図、図５は、バスバの斜視図、図６及び図７は、成形時における音叉端子の支持状態の斜視図、図８及び図９は、成形された電気部品を示す。図１０及び図１１は、成形された電気部品に対する後処理の斜視図を示す。
【００２１】
図１及び図２に示すように、この実施形態の型構造１に適用されるバスバ３は、本体回路部３１に音叉端子３２が設けられることにより形成されている。本体回路部３１は、電源側スタッドボルト用孔３３ａが形成された電源側端子板３３と、接続用ボルト孔３４ａが形成された接続側端子板３４とが可溶体部３５によって連結されている。可溶体部３５は、電源側から過大電流が流れたときに溶断し、この溶断によって接続側端子板３４に接続されている負荷を保護するようになっている。
【００２２】
音叉端子３２は、電源側端子板３３側に接続された状態で設けられている。図２及び図５に示すように、音叉端子３２は電源側端子板３３に連結されたバスバ端３７と、バスバ端３７から延設された圧入接触部３８とを有している。バスバ端３７は、電源側端子板３３に連結された横長の連結部３９と、連結部３９の長さ方向の両端部から直角状に一体に折り曲げられた左右一対の端子基部４０とによって形成されている。
【００２３】
圧入接触部３８は、それぞれの端子基部４０から直線状に延設された一対の挟持片４１を備えている。一対の挟持片４１は、それぞれの端子基部４０とともにお互いが対向した状態で平行となるように延びている。それぞれの挟持片４１は、長さ方向に延びるスリット４２を有しており、スリット４２の延設端部が開口されて挿入開口４３となっている。挿入開口４３には、相手端子であるヒューズ４５（図１０参照）が挿入され、挿入されたヒューズ４５に対し挟持片４１が上下から圧接し、この圧接により音叉端子３２（バスバ３）とヒューズ４５との電気的な接続が行われる。
【００２４】
この実施形態の型構造１は、以上のバスバ３を固定型４（下型）と、可動型５（上型）とによる樹脂成形品の成形と共に一体に埋設するものである。固定型４には、バスバ３の本体回路部３１をセットする型本体部（図示省略）が形成されている。可動型５には、固定型４の型本体部に対向して固定型４の型本体部と共に樹脂成形品の成形用のキャビティを形成する型本体部（図示省略）が形成されている。これらの型４、５の型本体部内にバスバ３の本体回路部３１をセットし、固定型４及び可動型５を型合わせ（型締め）してキャビティ内に樹脂を射出することにより回路本体部３１が樹脂に一体に埋設される。
【００２５】
図３、図４、図６及び図７は、音叉端子３２に対する固定型４及び可動型５のセット構造を示す。
【００２６】
図３及び図７に示すように、固定型４における音叉端子３２のセット部分には、音叉端子３２の端子基部４０をセットするための一対のバスバセット部１１が形成されている。それぞれのバスバセット部１１は、端子基部４０が挿入される上部開放のセット溝１１ａを有しており、セット溝１１ａ内に端子基部４０を挿入することにより音叉端子３２を固定型４に対して位置決め設置するようになっている。このバスバセット部１１は、固定型４の外周壁１２（バリ切り部）に近接した位置に形成されている。この実施形態において、バスバセット部１１への端子基部４０のセットは、図３、図６，図７に示すように、音叉端子３２の一対の挟持片４１が固定型４及び可動型５の外方に突出するようになされるものである。
【００２７】
なお、図３においては、音叉端子３２の挟持片４１が可動型５側に位置しているが、図３は後述する端子基部当接部１７と挟持片４１との関係を示すために図示するものであり、音叉端子３２の挟持片４１は固定型４のバスバセット部１１にセットされるものである。
【００２８】
バスバセット部１１は固定型４の内部に起立状に形成されている。固定型４におけるバスバセット部１１の端子基部受け部１３は、音叉端子３２の端子基部４０が接触することにより端子基部４０（端子基部４０の下面）を支持するようになっている。
【００２９】
可動型５には、型合わせによって固定型４の外周壁１２と同一面となる外周面１５（バリ切り部）が形成されている（図６参照）。この実施形態において、型合わせによって固定型４の外周壁１２が嵌り込む窓部１９が可動型５に形成されている。窓部１９は、固定型４の外周壁１２と相応した形状に形成されている。そして、この窓部１９に固定型４の外周壁１２が嵌り込むことにより、可動型５の外周壁１５と固定型４の外周壁１２とが同一面となる。
【００３０】
可動型５の外周壁１５には、固定型４の端子基部受け部１３に対応（対向）した端子基部当接部１７が形成されている。端子基部当接部１７は型合わせすることにより、端子基部受け部１３が支持している音叉端子３２の端子基部４０（端子基部４０の上面）に当接し、この当接によって端子基部受け部１３と共に端子基部４０を挟持するようになっている。
【００３１】
図４に示すように、受け当接段部２１が固定型４に形成されると共に、受け当接段部２１に対応した当接段部２３が可動型５に形成される。受け当接段部２１は固定型４における底部付近を平面状に切り欠くことにより形成されるものであり、その形成部位は固定型４の適宜位置に設定することができる。当接段部２３は受け当接段部２１に対応するように可動型５に形成される。可動型５を固定型４側に移動させて型合わせすると、可動型５の当接段部２３が固定型４の受け当接段部２１に当接する。この当接によって、可動型５の型本体部と固定型４の型本体部との間にキャビティが形成される。又、この当接と同時に上述した端子基部受け部１３と端子基部当接部１７による音叉端子３２の端子基部４０の挟持が行われる。
【００３２】
次に、この実施形態の型構造による成形を説明する。
【００３３】
型開き状態で固定型４の型本体部にバスバ３の本体回路部３１をセットする。このとき、バスバ３の音叉端子３２においては、その端子基部４０を固定型４のバスバセット部１１（セット溝１１ａ）に挿入してセットする。このバスバセット部１１へのセットにより、音叉端子３２の端子基部４０は固定型４の端子基部受け部１３に支持された状態となる。このようなバスバ３の固定型４のセットにおいては、音叉端子３２の一対の挟持片４１が固定型４の外周面１２の外方に突出するように配置される。
【００３４】
以上のバスバ３のセットの後、可動型５を固定型４に接近させて型合わせをする。この型合わせのときには、固定型４の受け当接段部２１に可動型５の当接段部２３が当接すると共に、固定型４の端子基部受け部１３と、可動型５の端子基部当接部１７とによって音叉端子３２の端子基部４０を挟持する。これにより、音叉端子３２の挟持片４１は固定型４及び可動型５の型本体部の外方に突出した状態で保持される。すなわち、音叉端子３２の挟持片４１は、固定型４及び可動型５の型本体部の外方でフリー状態となっている。
【００３５】
端子基部４０の挟持状態で固定型４及び可動型５の型本体部が形成しているキャビティ内に溶融樹脂を射出し、冷却硬化する。これにより、図８及び図９に示すように、樹脂成形品２６内にバスバ３の本体回路部３１が埋設され、音叉端子３２が樹脂成形品２６から外側に露出しているヒュージブルリンクユニット等の電気部品２５が形成される。なお、図８及び図９においては、樹脂成形品２６からスタットボルト４７が上方に突出しているが、このスタットボルト４７は、接続用ボルト孔３４ａを貫通するようにバスバ３に予め取り付けられるものである。
【００３６】
図１０は、電気部品２５に対して相手端子としてのヒューズ４５を取り付けた状態を示す。ヒューズ４５は、樹脂成形品２６から露出している音叉端子３２の一対の挟持片４１に挿入されることによりバスバ３との電気的導通状態で電気部品２５に取り付けられる。図１１は、ヒューズ４５の装着部分に対して蓋体４８を固定してヒューズ４５を保護した状態を示す。
【００３７】
このような実施形態では、音叉端子３２の一対の挟持片４１が固定型４及び可動型５の型本体部の外方に突出して配置された状態で樹脂の射出が行われるため、音叉端子３２の挟持片４１は固定型４及び可動型５に対してフリー状態となっている。このため、挟持片４１が固定型４や可動型５との接触がないばかりでなく型の押し力が作用することがない。従って、音叉端子３２（挟持片４１）が変形することがなく、変形に起因した不良品の発生を防止することができる。
【００３８】
又、音叉端子３２は、その端子基部４０がバスバセット部１１にセットされて位置決めされるため、音叉端子３２の固定型４に対する位置決めも円滑且つ正確に行うことができる。この場合、端子基部４０が固定型４に固定されており、端子基部４０の先端側の挟持片４１はフリー状態となっている。このため、ヒューズ４５が電気的に接続される挟持片４１が変形することがない。
【００３９】
又、音叉端子３２の挟持片４１が固定型４及び可動型５の型本体部の外方に突出して樹脂成形品２６が成形されるため、音叉端子３２の全体が樹脂成形品２６から露出することがなく、一部が樹脂成形品２６に埋設された状態となる。これにより、樹脂成形品２６の音叉端子３２に対する支持力が大きくなり、音叉端子３２に強度を付与することができる。
【００４０】
以上の実施形態では、電源側端子板３３及び接続型端子板３４を有したバスバ３を用いたが、バスバ３としては、他の構造であってもよい。
【００４１】
なお、上記電気部品２５は、バッテリー端子若しくはバッテリー端子に取り付けられる可溶体を有するバスバと、該バスバに接続される圧接型のヒューズ端子とを含むヒューズユニットにおいて、該可溶体を形成した該バスバをプレスにより成型し、ヒューズと接続する一組の音叉端子は片側を該バスバに接続され、他端は外部接続用の端子を持ち、該一組の音叉端子は該ヒューズ端子を上下方向に挟むように配置して、該バスバと該一組の音叉端子とを一体的にモールドした、バッテリー端子に取り付けられるヒューズユニット（ヒュージブルリンクユニット；ヒューズブロック）の例である。
【００４２】
このヒューズブロックによれば、スライド型を使わず成型ができると共に、音叉端子でヒューズ端子を挟んで保持するので、ヒューズ４５を保持するためのヒューズホルダを別途設ける必要がなくなる。
【符号の説明】
【００４３】
１  型構造
３  バスバ
４  固定型
５  可動型
１１  バスバセット部
１３  端子基部受け部
１７  端子基部当接部
２１  受け当接段部
２３  当接段部
２５  電気部品
２６  樹脂成形品
３１  本体回路部
３２  音叉端子
３７  バスバ端
３８  圧入接触部
４０  端子基部
４１  挟持片
４２  スリット
４３  挿入開口
【図１】
0005583487.tif 000002
【図２】
0005583487.tif 000003
【図３】
0005583487.tif 000004
【図４】
0005583487.tif 000005
【図５】
0005583487.tif 000006
【図６】
0005583487.tif 000007
【図７】
0005583487.tif 000008
【図８】
0005583487.tif 000009
【図９】
0005583487.tif 000010
【図１０】
0005583487.tif 000011
【図１１】
0005583487.tif 000012
【図１２】
0005583487.tif 000013
【図１３】
0005583487.tif 000014